(57)【要約】【課題】水切棚において錆の発生を抑えると共に簡単な構造で工程が複雑になることなく棚枠と棚板材の組み付けができること。【解決手段】棚板とその棚板の両端を支持する左右取付枠とからなる水切棚において、前記棚板は等間隔に並んだ複数本の棚板材と、矩形状の棚枠で構成され、前記棚板材は帯状材を下向き開放の断面コの字形に形成し、前記棚枠は内向き開放で前記棚板材と同断面形状の枠材で矩形を形成しその矩形の両短辺に固着されて互いに向合う状態に突出して各棚板材の両端を支持する複数の爪と矩形の両長辺の中央を連結した中受けを有し、前記中受けは各棚板材に対応した上向きの突出部が形成され、その突出部の先端は棚板材の下向きの開口部内に嵌合圧接する笠部が形成されている構造とした。また組立てにおいては、棚板材の両端を枠材と爪で支持したうえで、棚板材の中央部を下向きに押圧して中受けの笠部を開口部内に圧入する。【選択図】図１
0003132364.tif 000002
【実用新案登録請求の範囲】
【請求項１】
すのこ状の棚板とその棚板の両端を支持して壁面等に取り付ける左右取付枠とからなる水切棚において、前記棚板は等間隔に並んだ複数本の棚板材と、矩形状の棚枠で構成され、前記棚板材は帯状材を下向き開放の断面コの字形に形成し、前記棚枠は内向き開放で前記棚板材と同断面形状の枠材で矩形を形成しその矩形の両短辺に固着されて互いに向合う状態に突出して各棚板材の両端を支持する複数の爪と矩形の両長辺の中央を連結した中受けを有し、前記中受けは各棚板材に対応した上向きの突出部が形成され、その突出部の先端は棚板材の下向きの開口部内に嵌合圧接する笠部が形成されており、組立てにおいては、棚板材の両端を枠材と爪で支持したうえで、棚板材の中央部を下向きに押圧して中受けの笠部を開口部内に圧入することを特長とする水切棚。
【考案の詳細な説明】
【技術分野】
【０００１】
本考案は、水切棚に関するものである。詳しくはすのこ状の棚板における棚板材と棚枠の組立て構造に関するものである。
【背景技術】
【０００２】
従来、全長が長い水切棚において重量物を載置した場合に、たわんだり、各棚板材の間隔が不均等になったりするのを防止するために、補強材として１本あるいは複数本の中受けで各棚板材および両側の枠材を連結していた。その構造は、帯状板材の中受けを枠材に掛け渡して両端部を固着し、その中受けの上端面と各棚板材の下縁部とを溶接して棚板を構成していた。
【０００３】
しかし、ステンレス鋼（ＳＵＳ３０４）は溶接部の接点が錆びやすいという欠点があり、従来の水切棚においても中受けの端面と各棚板材の縁部の接点に錆が発生する問題があった。また中受けを樹脂製の部材としたものもあったが、強度不足の問題や耐蝕性の問題等があった。
【特許文献１】特開平０７−２５５５４１号公報
【考案の開示】
【考案が解決しようとする課題】
【０００４】
本考案が解決しようとする問題点は、水切棚において錆の発生を抑えると共に簡単な構造で工程が複雑になることなく棚枠と棚板材の組み付けができることを目的とする。
【課題を解決するための手段】
【０００５】
上記課題を解決する手段として請求項１の考案は、すのこ状の棚板とその棚板の両端を支持して壁面等に取り付ける左右取付枠とからなる水切棚において、前記棚板は等間隔に並んだ複数本の棚板材と、矩形状の棚枠で構成され、前記棚板材は帯状材を下向き開放の断面コの字形に形成し、前記棚枠は内向き開放で前記棚板材と同断面形状の枠材で矩形を形成しその矩形の両短辺に固着されて互いに向合う状態に突出して各棚板材の両端を支持する複数の爪と矩形の両長辺の中央を連結した中受けを有し、前記中受けは各棚板材に対応した上向きの突出部が形成され、その突出部の先端は棚板材の下向きの開口部内に嵌合圧接する笠部が形成されており、組立てにおいては、棚板材の両端を枠材と爪で支持したうえで、棚板材の中央部を下向きに押圧して中受けの笠部を開口部内に圧入することを特長とする。
【考案の効果】
【０００６】
本考案の水切棚は、棚枠の左右両端の爪と中受けで溶接することなく棚板材を固定するので、錆が発生することが少ないという利点がある。
【考案を実施するための最良の形態】
【０００７】
棚枠に棚板材を溶接することなく組み付けるという目的を、簡単な構造でかつ簡単な工程により堅牢な強度を持って実現した。
【実施例１】
【０００８】
図１および図２は、本考案の実施例であって、棚板材１と棚枠２の組み付け前の状態の一部分を示した斜視図と断面図である。棚板材１は、帯状材を下向き開放の断面コの字形に形成して複数本を平行に等間隔で並べている。棚枠２は内向き開放で前記棚板材１と同じ断面形状の枠材２１とその枠材２１の矩形両短辺に突出して固着した複数の爪２２と矩形両長辺の中央を連結した中受け２３を有している。
【０００９】
中受け２３は、鉛直面状に配した帯状板材の上端に各棚板材１に対応した上向きの突出部２３ａが形成され、その突出部２３ａの先端には笠部２３ｂが形成されている。笠部２３ｂは、前記突出部２３ａより幅広の形成部を水平方向に折曲げその両端を下方へ湾曲させている。
【００１０】
図３および図４は、棚板材１と棚枠２の組み付け後の状態の一部分を示した斜視図と断面図である。棚板材１を下向きに押圧すると中受け２３の笠部２３ｂが棚板材１の左右両側壁をわずかに押し広げるようにして圧入され棚板材１の開口部内に嵌合圧接することにより、複数本の棚板材１、１・・・が棚枠２と組み合わさって棚板Ａ１が構成される。
【００１１】
図５（Ａ）、（Ｂ）は、図３および図４において爪２２と枠材２１で棚板材１の端部を支持した状態を示す横断面図と縦断面図である。爪２２は垂直片２２ａと水平片２２ｂを有する断面略Ｌ字形の金具であり、矩形を形成した枠材２１の短辺にその垂直片２２ａを溶着し、もう一方の短辺に溶着した爪２２と互いに向き合う状態に水平片２２ｂを突出させている。
【００１２】
棚板材１を棚枠２に組み付ける際には、棚板材１を山なりにたわめて、棚板材１の左右両端部を爪２２の水平片２２ｂと枠材２１の上辺との間に差し込んで、図５に示すように棚板材１を支持したうえで棚板材１の中央部を下向きに押圧して中受け２３の笠部２３ｂを棚板材１の開口部内に圧入する。
【００１３】
図６は、棚板Ａ１の左右両端を取付枠３、３で支持するよう構成した水切棚Ａを示す斜視図である。水切棚Ａはキッチンその他の場所で取付枠３により垂直壁や取付支柱あるいは吊り戸棚の底板等にネジ等で固定する。
【産業上の利用可能性】
【００１４】
本考案は、溶接をすることなく棚枠に棚板材を組み付ける構造であるため、錆の発生を抑えることができる。そのためキッチンや浴室、トイレ等の水周りの製品の構造として有効である。
【図面の簡単な説明】
【００１５】
【図１】棚板材と棚枠の組み付け前の状態の一部分を示した斜視図である。
【図２】棚板材と棚枠の組み付け前の状態の一部分を示した断面図である。
【図３】棚板材と棚枠の組み付け後の状態の一部分を示した斜視図である。
【図４】棚板材と棚枠の組み付け後の状態の一部分を示した断面図である。
【図５】爪と枠材で棚板材の端部を支持した状態を示す横断面図と縦断面図である。
【図６】棚板の左右両端を取付枠で支持した水切棚を示す斜視図である。
【符号の説明】
【００１６】
１      棚板材
２      棚枠
２１    枠材
２２    爪
２２ａ  垂直片
２２ｂ  水平片
２３    中受け
２３ａ  突出部
２３ｂ  笠部
Ａ      水切棚
Ａ１    棚板
【図１】
0003132364.tif 000003
【図２】
0003132364.tif 000004
【図３】
0003132364.tif 000005
【図４】
0003132364.tif 000006
【図５】
0003132364.tif 000007
【図６】
0003132364.tif 000008